(57)【要約】【課題】ユーザーの要求する情報の画像を確実に印刷することができる印刷システムを提供する。【解決手段】印刷システムは、原稿の画像を読み取った後、読み取った原稿の画像に基づく画像データと、格納された原稿の画像データとを比較し（Ｓ１２）、読み取った画像に基づく画像データに所定のマークがあるか否かを判別する（Ｓ１３）。マークがあることを判別する（Ｓ１３において、ＹＥＳ）と、この判別したマークの情報をサーバー側に送信する（Ｓ１４）。サーバーは、このマークの情報を受信すると、マークに対応する画像の詳細な情報を抽出する（Ｓ１５）。その後、抽出した詳細な情報をデータとしてデジタル複合機に送信する（Ｓ１６）。デジタル複合機は、受信した詳細な情報のデータを基に画像を形成し（Ｓ１７）、形成した画像を印刷する（Ｓ１８）。【選択図】図８
2016072813.tif 000002
【特許請求の範囲】
【請求項１】
画像の印刷を行う印刷装置、および前記印刷装置と別途設けられ、前記印刷装置とデータの通信が可能であって、データを格納する格納装置を備える印刷システムであって、
前記印刷装置は、原稿の画像を読み取る画像読み取り部と、画像の印刷を行う印刷部とを含み、
前記格納装置は、原稿の画像に関連する情報の画像データを格納する第一のデータ格納部を含み、
前記印刷システムは、前記画像読み取り部により読み取った原稿の画像に基づく画像データに所定のマークがあるか否かを判別する判別手段と、前記判別手段により前記所定のマークがあると判別すれば、前記第一のデータ格納部に格納され、前記所定のマークに対応する前記原稿の画像に関連する情報の画像データを抽出する抽出手段と、前記抽出手段により抽出した前記原稿の画像に関連する情報の画像データを基に画像を形成し、前記印刷部により印刷するよう制御する制御部とを含む、印刷システム。
【請求項２】
前記印刷装置は、原稿の画像データを格納する第二のデータ格納部を含み、
前記判別手段は、前記画像読み取り部により読み取った原稿の画像に基づく画像データと前記第二のデータ格納部に格納された原稿の画像データとを比較して、前記画像読み取り部により読み取った原稿の画像に基づく画像データに所定のマークが付されているか否かを判別する、請求項１に記載の印刷システム。
【請求項３】
前記第一のデータ格納部および前記第二のデータ格納部のうちの少なくともいずれか一方は、ユーザーに関するユーザー情報を格納し、
前記制御部は、前記原稿の画像に関連する情報の画像データを基に画像を形成し、前記印刷部により印刷すると共に、前記ユーザー情報に関連する画像を前記印刷部により印刷するよう制御する、請求項１または２に記載の印刷システム。
【請求項４】
前記第一のデータ格納部は、原稿の画像に関連する情報の画像データを複数格納し、
前記抽出手段は、前記所定のマークの位置、前記所定のマークの形状、前記所定のマークの色のうちの少なくともいずれか一つに基づいて、複数格納された前記原稿の画像に関連する情報の画像データの中から前記所定のマークに対応する前記原稿の画像に関連する情報の画像データを抽出する、請求項１〜３のいずれかに記載の印刷システム。
【請求項５】
前記制御部は、前記判別手段により前記所定のマークがあると判別できなければ、前記印刷部により前記原稿の画像を印刷するよう制御する、請求項１〜４のいずれかに記載の印刷システム。
【請求項６】
前記判断手段は、手書き線を前記所定のマークとして判断する、請求項１〜５のいずれかに記載の印刷システム。
【請求項７】
前記印刷装置と前記格納装置とは、インターネットを介して通信可能である、請求項１〜６のいずれかに記載の印刷システム。
【請求項８】
別途設けられた外部装置とデータの通信が可能であって、画像の印刷を行う印刷装置であって、
原稿の画像を読み取る画像読み取り部と、
画像の印刷を行う印刷部と、
前記画像読み取り部により読み取った原稿の画像に基づく画像データに所定のマークがあるか否かを判別する判別手段と、
前記判別手段により前記所定のマークがあると判別すれば、前記外部装置に格納され、前記所定のマークに対応する前記原稿の画像に関連する情報の画像データを抽出する抽出手段と、
前記抽出手段により抽出した前記原稿の画像に関連する情報の画像データを基に画像を形成し、前記印刷部により印刷するよう制御する制御部とを含む、印刷装置。
【請求項９】
別途設けられた画像の印刷を行う印刷装置とデータの通信が可能であって、データを格納する格納装置であって、
原稿の画像に関連する情報の画像データを格納する第一のデータ格納部と、
前記画像読み取り部により読み取った原稿の画像に基づく画像データに所定のマークがあるか否かを判別する判別手段と、
前記判別手段により前記所定のマークがあると判別すれば、前記第一のデータ格納部に格納され、前記所定のマークに対応する前記原稿の画像に関連する情報の画像データを抽出する抽出手段と、
前記抽出手段により抽出した前記原稿の画像に関連する情報の画像データを基に画像を形成し、前記印刷装置により印刷するよう制御する制御部とを含む、格納装置。
【発明の詳細な説明】
【技術分野】
【０００１】
この発明は、印刷システム、印刷装置、および格納装置に関するものであり、特に、情報を入力されて印刷を行う印刷装置、このような印刷装置を含む印刷システム、このような印刷システムに含まれる格納装置に関するものである。
【背景技術】
【０００２】
デジタル複合機等に代表される画像処理装置には、画像を形成して用紙に印刷する印刷部や、原稿の画像を読み取る画像読み取り部が設けられている。画像処理装置は、一般的には、インターネットやイントラネット等のネットワークに接続されており、同じくネットワークに接続されたパソコン（パーソナルコンピューター）からの画像データの送信および印刷の要求を受け付けることにより、画像の印刷といったサービスを行う。インターネットに接続されている場合、パソコンからの印刷の要求により、ブラウザに表示された画面の印刷を行うこともできる。
【０００３】
ここで、画像処理システムについて、ネットワークを介したサービスに関する技術が、特開２００６−１３５６９７号公報（特許文献１）、および特開２００４−１１８７７４号公報（特許文献２）に開示されている。特許文献１によると、画像処理システムとして、複合機は、自機の設定、状態、利用者が行う操作に関する情報、機能サーバーへ送信するデータ等を、サービス検索データとしてディレクトリサーバーへ送信することとしている。そして、ディレクトリサーバーは、受信したサービス検索データに基づき、あらかじめ定められた類推規則に従って、機能サーバーが実行可能なサービスそれぞれについて、複合機が機能サーバーに要求する可能性を類推し、複合機が機能サーバーに要求する可能性が高いサービスのリストを、複合機へ送信することとしている。
【０００４】
また、特許文献２によると、ＨＴＭＬ文書に基づく画像が形成された印刷媒体を、スキャナ部を用いて読み取り、その読み取り結果に基づき、手書き線で包囲された印刷媒体内の文字列識別情報を判別して文字列を識別している。そして、ＨＴＭＬ文書に埋め込まれたハイパーリンク情報から、その文字列に関連付けられているリンク先ＵＲＬ情報を抽出する。そして、手書き線が赤色である場合には、ウェブプリント処理を実行して、リンク先のＨＴＭＬ文書をダウンロードし、ＨＴＭＬ文書に基づく画像を記録紙に印刷することとしている。
【先行技術文献】
【特許文献】
【０００５】
【特許文献１】特開２００６−１３５６９７号公報
【特許文献２】特開２００４−１１８７７４号公報
【発明の概要】
【発明が解決しようとする課題】
【０００６】
特許文献１に開示の技術は、受信したサービス検索データに基づき、予め定められた類推規則に従って要求される可能性が高いサービスのリストを複合機に送信するものである。このような特許文献１に開示された技術では、あくまで類推規則に従ってサービスのリストを送信しているため、結果として必ずしもユーザーが要求する情報を入手することができないおそれがある。また、特許文献２に開示された技術では、リンク先のＵＲＬ（Ｕｎｉｆｏｒｍ  Ｒｅｓｏｕｒｃｅ  Ｌｏｃａｔｏｒ）情報が埋め込まれたＨＴＭＬ（Ｈｙｐｅｒ  Ｔｅｘｔ  Ｍａｒｋｕｐ  Ｌａｎｇｕａｇｅ）文書を準備し、この埋め込まれたリンク先ＵＲＬ情報を取得可能であるだけで、必ずしもユーザーが要求する情報を入手することができないおそれがある。
【０００７】
この発明の目的は、ユーザーの要求する情報の画像を確実に印刷することができる印刷システムを提供することである。
【０００８】
この発明の他の目的は、ユーザーの要求する情報の画像を確実に印刷することができる印刷装置を提供することである。
【０００９】
この発明のさらに他の目的は、ユーザーの要求する情報の画像を確実に印刷することができる格納装置を提供することである。
【課題を解決するための手段】
【００１０】
この発明に係る印刷システムは、画像の印刷を行う印刷装置、および印刷装置と別途設けられ、印刷装置とデータの通信が可能であって、データを格納する格納装置を備える。印刷装置は、原稿の画像を読み取る画像読み取り部と、画像の印刷を行う印刷部とを含む。格納装置は、原稿の画像に関連する情報の画像データを格納する第一のデータ格納部を含む。印刷システムは、画像読み取り部により読み取った原稿の画像に基づく画像データに所定のマークがあるか否かを判別する判別手段と、判別手段により所定のマークがあると判別すれば、第一のデータ格納部に格納され、所定のマークに対応する原稿の画像に関連する情報の画像データを抽出する抽出手段と、抽出手段により抽出した原稿の画像に関連する情報の画像データを基に画像を形成し、印刷部により印刷するよう制御する制御部とを含む。
【００１１】
このような印刷システムによると、画像読み取り部により読み取った原稿の画像に基づく画像データに所定のマークがあるか否かを判別する。所定のマークがあると判別すれば、第一のデータ格納部に格納され、所定のマークに対応する原稿の画像に関連する情報の画像を第一のデータ格納部から抽出する。その後、抽出した原稿の画像に関連する情報の画像データを抽出し、抽出した原稿の画像に関連する情報の画像データを基に画像を形成し、印刷を行う。そうすると、ユーザーによって原稿の画像に付された所定のマークに基づいて、ユーザーの要求する原稿の画像に関連する情報の画像を印刷することができる。したがって、ユーザーの要求する情報の画像を確実に印刷することができる。
【００１２】
この発明の他の局面においては、印刷装置は、別途設けられた外部装置とデータの通信が可能であって、画像の印刷を行う。印刷装置は、原稿の画像を読み取る画像読み取り部と、画像の印刷を行う印刷部と、画像読み取り部により読み取った原稿の画像に基づく画像データに所定のマークがあるか否かを判別する判別手段と、判別手段により所定のマークがあると判別すれば、外部装置に格納され、所定のマークに対応する原稿の画像に関連する情報の画像データを抽出する抽出手段と、抽出手段により抽出した原稿の画像に関連する情報の画像データを基に画像を形成し、印刷部により印刷するよう制御する制御部とを含む。このような印刷装置によれば、ユーザーの要求する情報の画像を確実に印刷することができる。
【００１３】
この発明のさらに他の局面においては、格納装置は、別途設けられた画像の印刷を行う印刷装置とデータの通信が可能であって、データを格納する。格納装置は、原稿の画像に関連する情報の画像データを格納する第一のデータ格納部と、画像読み取り部により読み取った原稿の画像に基づく画像データに所定のマークがあるか否かを判別する判別手段と、判別手段により所定のマークがあると判別すれば、第一のデータ格納部に格納され、所定のマークに対応する原稿の画像に関連する情報の画像データを抽出する抽出手段と、抽出手段により抽出した原稿の画像に関連する情報の画像データを基に画像を形成し、印刷装置により印刷するよう制御する制御部とを含む。このような格納装置によれば、ユーザーの要求する情報の画像を確実に印刷することができる。
【発明の効果】
【００１４】
このような印刷システムによると、画像読み取り部により読み取った原稿の画像に基づく画像データに所定のマークがあるか否かを判別する。所定のマークがあると判別すれば、第一のデータ格納部に格納され、所定のマークに対応する原稿の画像に関連する情報の画像を第一のデータ格納部から抽出する。その後、抽出した原稿の画像に関連する情報の画像データを抽出し、抽出した原稿の画像に関連する情報の画像データを基に画像を形成し、印刷を行う。そうすると、ユーザーによって原稿の画像に付された所定のマークに基づいて、ユーザーの要求する原稿の画像に関連する情報の画像を印刷することができる。したがって、ユーザーの要求する情報の画像を確実に印刷することができる。
【００１５】
また、このような印刷装置および格納装置によれば、ユーザーの要求する情報の画像を確実に印刷することができる。
【図面の簡単な説明】
【００１６】
【図１】この発明の一実施形態に係る印刷システムに備えられる印刷装置をデジタル複合機に適用した場合のデジタル複合機の外観を示す概略斜視図である。
【図２】この発明の一実施形態に係る印刷システムに備えられる印刷装置をデジタル複合機に適用した場合のデジタル複合機の構成を示すブロック図である。
【図３】操作部の概略的な構成を示す外観図である。
【図４】画像読み取り部の一部を上方向から見た概略図である。
【図５】ユーザーが旅行の申し込みを行う際の原稿の画像を示す概略図である。
【図６】サーバーハードディスクに格納されたデータの内容を示す概念図である。
【図７】ユーザーによってマークが付された原稿の画像を示す概略図である。
【図８】この発明の一実施形態に係る印刷システムを用いて印刷を行う場合の処理の流れを示すフローチャートである。
【図９】宿泊プランに関連する詳細な情報のデータを基に形成された画像の一例を示す図である。
【図１０】操作部に含まれる表示画面に表示された選択画面の一例を示す図である。
【図１１】この発明の他の実施形態に係る印刷システムを用いて印刷を行う場合の処理の流れを示すフローチャートである。
【図１２】この発明のさらに他の実施形態に係る印刷システムを用いて印刷を行う場合の処理の流れを示すフローチャートである。
【図１３】印刷された申し込み用紙の一例を示す図である。
【図１４】マークが複数の領域に跨って付された原稿の画像を示す概略図である。
【発明を実施するための形態】
【００１７】
以下、この発明の実施の形態を説明する。まず、この発明の一実施形態に係る印刷システムに備えられる印刷装置の構成について説明する。図１は、この発明の一実施形態に係る印刷システムに備えられる印刷装置をデジタル複合機に適用した場合のデジタル複合機の外観を示す概略斜視図である。図２は、この発明の一実施形態に係る印刷システムに備えられる印刷装置をデジタル複合機に適用した場合のデジタル複合機の構成を示すブロック図である。
【００１８】
図１および図２を参照して、印刷装置としてのデジタル複合機１１は、デジタル複合機１１全体の制御を行うデジタル複合機制御部１２と、デジタル複合機１１側から発信する情報やユーザーの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、トナーを用いて現像を行う現像器２３を含み、読み取った画像やネットワーク２５を介して送信された画像データを基に画像を形成する画像形成部１５と、送信された画像データや入力された画像形成条件等の格納を行うデジタル複合機ハードディスク１６と、公衆回線２４に接続されており、ファクシミリ送信やファクシミリ受信を行うファクシミリ通信部１７と、ネットワーク２５と接続するためのデジタル複合機ネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や用紙を搬送する用紙搬送部等を備えるが、これらについては、図示および説明を省略する。また、図２中の矢印は、制御信号や制御、画像に関するデータの流れを示している。
【００１９】
デジタル複合機１１は、画像読み取り部１４により読み取られた原稿を用いて画像形成部１５において画像を形成することにより、複写機として作動する。また、デジタル複合機１１は、デジタル複合機ネットワークインターフェース部１８を通じて、ネットワーク２５に接続されたコンピューター２６ａ、２６ｂから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、プリンター機能、ファクシミリ機能等、複数の機能を有する。さらに、各機能に対しても、詳細に設定可能な機能を有する。
【００２０】
また、デジタル複合機１１を備える印刷システム２７は、デジタル複合機１１と、複数のコンピューター２６ａ、２６ｂと、データを格納する格納装置としてのサーバー１９とを備える。具体的には、印刷システム２７は、上記した構成のデジタル複合機１１と、ネットワーク２５を介してデジタル複合機１１に接続される複数のコンピューター２６ａ、２６ｂと、同じくネットワーク２５を介してデジタル複合機１１に接続されるサーバー１９とを備える。この実施形態においては、複数のコンピューター２６ａ、２６ｂについては、２台示している。また、サーバー１９は、いわゆるコンピューターの一種であり、印刷装置１１と別途設けられている。サーバー１９は、画像データやユーザーの登録情報等の種々のデータを格納するサーバーハードディスク２８と、ネットワーク２５と接続するためのサーバーネットワークインターフェース部２９と、サーバー１９全体の制御を行うサーバー制御部３０とを含む構成である。各コンピューター２６ａ、２６ｂおよびサーバー１９はそれぞれ、デジタル複合機１１に対して、ネットワーク２５を介して印刷要求を行って印刷をすることができる。デジタル複合機１１とコンピューター２６ａ、２６ｂおよびサーバー１９とは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。この実施形態においては、サーバー１９に備えられるサーバーハードディスク２８を、第一のデータ格納部といい、デジタル複合機１１に備えられるデジタル複合機ハードディスク１６を、第二のデータ格納部という。なお、このような印刷システムは、カタログショッピング等の紙面上に商品の画像が記載されている場合に有効に用いられる。
【００２１】
次に、上記した操作部１３の構成について、さらに詳細に説明する。図３は、操作部１３の概略的な構成を示す外観図である。図１〜図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２２】
次に、上記した画像読み取り部１４の構成について、簡単に説明する。図４は、画像読み取り部１４の一部を上方向から見た概略図である。図１〜図４を参照して、画像読み取り部１４は、画像を読み取る原稿を載置するプラテン４１と、図４中の矢印Ｄ１またはその逆の方向で示す副走査方向に移動可能であり、原稿からの反射光を基に原稿の画像をイメージセンサーとしてのＣＣＤ（Ｃｈａｒｇｅ  Ｃｏｕｐｌｅｄ  Ｄｅｖｉｃｅ）センサー（図示せず）に読み取らせるキャリッジ４２とを備える。プラテン４１は、筐体４３の開口部に嵌め込まれており、この実施形態では、コンタクトガラスを用いている。キャリッジ４２は、筐体４３内に平行に設けられた二本の金属棒４４ａ、４４ｂにガイドされ、図示しないモーターからの動力を得て移動する。キャリッジ４２は、プラテン４１の下方領域から上側に向かって光を照射する露光ランプ４５と、複数のミラー（図示せず）と、光を集光するレンズ（図示せず）とを含む。キャリッジ４２は、原稿の画像を読み取る際に、副走査方向に移動しながら、露光ランプ４５からプラテン４１側に向かって光を照射する。そして、プラテン４１側、具体的には、プラテン４１の上に載置された原稿から反射される反射光を複数のミラーおよびレンズによって集光し、ＣＣＤセンサーに入力させることにより、プラテン４１上に載置された原稿の画像を読み取る。また、キャリッジ４２は、副走査方向において、プラテン４１上に原稿を載置する際の基準位置を示す基準板４６の横に設けられ、透明の部材で構成される所定の位置４７に留められた状態で、ＡＤＦ２２によって搬送されてきた原稿の画像を読み取る。画像読み取り部１４は白黒原稿はもちろん、カラー原稿における色情報についても読み取ることができる。
【００２３】
次に、この発明の一実施形態に係る印刷システムを用いて印刷を行う場合について、説明する。この実施形態においては、印刷システム２７を用いてユーザーが旅行の申し込みを行う場合について説明する。
【００２４】
ここでまず、ユーザーが旅行の申し込みを行う際の原稿の画像について説明する。図５は、ユーザーが旅行の申し込みを行う際の原稿の画像を示す概略図である。図５を参照して、旅行の申し込みを行う際に用いられる原稿５１の画像５２ａは、複数のカテゴリー選択画像、ここでは合計７つのカテゴリー選択画像から構成されている。具体的には、原稿５１には、宿泊施設に関連するカテゴリー選択画像５３ａ、宿泊プランに関連するカテゴリー選択画像５３ｂ、周辺施設に関連するカテゴリー選択画像５３ｃ、料理に関連するカテゴリー選択画像５３ｄ、交通経路に関連するカテゴリー選択画像５３ｅ、宿泊サービスに関連するカテゴリー選択画像５３ｆ、および料金割引に関連するカテゴリー選択画像５３ｇが記載されている。なお、理解の容易の観点から、カテゴリー選択画像５３ａ〜５３ｇについては、それぞれ抽象的な識別しやすい異なる画像で表しているが、実際には文字や写真等の画像も用いられ、簡単にそれぞれのカテゴリーの説明がなされている。
【００２５】
原稿５１の画像５２ａ、すなわち、原稿５１に示された７つのカテゴリー選択画像５３ａ〜５３ｇを含む画像５２ａの画像データは、サーバー１９のサーバーハードディスク２８に格納されている。また、サーバーハードディスク２８には、カテゴリー選択画像５３ａ〜５３ｇのデータに加えて、カテゴリー選択画像５３ａ〜５３ｇの位置情報のデータも格納されている。位置情報については、図５中の点線でそれぞれの境界を示す７つの領域５４ａ、５４ｂ、５４ｃ、５４ｄ、５４ｅ、５４ｆ、５４ｇに、どの画像が位置しているかの情報である。具体的には、カテゴリー選択画像５３ａは第一の領域５４ａに、カテゴリー選択画像５３ｂは第二の領域５４ｂに、カテゴリー選択画像５３ｃは第三の領域５４ｃに、カテゴリー選択画像５３ｄは第四の領域５４ｄに、カテゴリー選択画像５３ｅは第五の領域５４ｅに、カテゴリー選択画像５３ｆは第六の領域５４ｆに、カテゴリー選択画像５３ｇは第七の領域５４ｇに、それぞれ位置している。サーバーハードディスク２８には、これらの位置情報が格納されている。各領域５４ａ〜５４ｇの境界を示す点線については、実際には原稿５１の画像５２ａに含まれておらず、可視できないものであり、位置情報としてサーバーハードディスク２８に格納されているものである。
【００２６】
ここで、サーバーハードディスク２８には、宿泊施設に関連する詳細な情報、宿泊プランに関連する詳細な情報、周辺施設に関連する詳細な情報、料理に関連する詳細な情報、交通経路に関連する詳細な情報、宿泊サービスに関連する詳細な情報、および料金割引に関連する詳細な情報が格納されている。図６は、サーバーハードディスク２８に格納されたデータの内容を示す概念図である。図６を参照して、これら宿泊施設に関連する詳細な情報等は、各カテゴリー選択画像５３ａ〜５３ｇと関連付けられて格納されている。具体的には、サーバーハードディスク２８の格納領域５５においては、カテゴリー選択画像５３ａが位置する第一の領域５４ａの情報５６ａと宿泊施設に関連する詳細な情報５７ａ、カテゴリー選択画像５３ｂが位置する第二の領域５４ｂの情報５６ｂと宿泊プランに関連する詳細な情報５７ｂ、カテゴリー選択画像５３ｃが位置する第三の領域５４ｃの情報５６ｃと周辺施設に関連する詳細な情報５７ｃ、カテゴリー選択画像５３ｄが位置する第四の領域５４ｄの情報５６ｄと料理に関連する詳細な情報５７ｄ、カテゴリー選択画像５３ｅが位置する第五の領域５４ｅの情報５６ｅと交通経路に関連する詳細な情報５７ｅ、カテゴリー選択画像５３ｆが位置する第六の領域５４ｆの情報５６ｆと宿泊サービスに関連する詳細な情報５７ｆ、カテゴリー選択画像５３ｇが位置する第七の領域５４ｇの情報５６ｇと料金割引に関連する詳細な情報５７ｇとが関連付けられて格納されている。なお、この実施形態においては、サーバーハードディスク２８に格納されている原稿５１に示された７つのカテゴリー選択画像５３ａ〜５３ｇを含む画像５２ａの画像データ、およびサーバーハードディスク２８の格納領域５５に格納されているデータについては、デジタル複合機１１に備えられるデジタル複合機ハードディスク１６にも格納されている。
【００２７】
ユーザーは、図５に示す原稿５１を用いて、予め詳細な情報を入手したいカテゴリー選択画像の領域にマークを付す。図７は、ユーザーによって所定のマークが付された原稿の画像を示す概略図である。図７を参照して、原稿５１の画像５２ｂには、図５に示す７つのカテゴリー選択画像５３ａ〜５３ｇのうち、カテゴリー選択画像５３ｂに対応する第二の領域５４ｂ内において手書き線で付された長丸状のマーク５８が付されている。すなわち、ユーザーは、宿泊プランに関連する詳細な情報の入手を要望している。
【００２８】
図８は、この発明の一実施形態に係る印刷システム２７を用いて印刷を行う場合の処理の流れを示すフローチャートである。図８等を参照して、デジタル複合機１１は、ユーザーによってマーク５８が付された原稿５１を画像読み取り部１４によって読み取る（図８において、ステップＳ１１、以下、「ステップ」を省略する）。この場合、ユーザーによってＡＤＦ２２にセットされた原稿５１について、デジタル複合機１１は、スタートキー３２の押下を検知すると、画像読み取り部１４に含まれるＣＣＤセンサー等を用いて画像を読み取る。そして、原稿５１の画像５２ｂを読み取った後、デジタル複合機１１において、読み取った原稿５１の画像５２ｂに基づく画像データと、デジタル複合機１１のデジタル複合機ハードディスク１６に格納された原稿の画像データとを比較し（Ｓ１２）、読み取った画像５２ｂに基づく画像データに所定のマーク５８があるか否かを判別する（Ｓ１３）。具体的には、予めデジタル複合機ハードディスク１６に格納されている画像５２ａと画像読み取り部１４によって読み取られた画像５２ｂとの間の画像データの差異を比較することにより、どの位置にどのような形状、およびどのような色のマーク５８があるかを判別する。
【００２９】
この場合、手書きの長丸状のマーク５８が、原稿５１の画像５２ｂのうちのカテゴリー選択画像５３ｂが位置する第二の領域５４ｂにあることを判別する（Ｓ１３において、ＹＥＳ）。ここで、デジタル複合機制御部１２等は、判別手段として作動する。その後、この判別したマーク５８の情報をサーバー１９側に送信する（Ｓ１４）。
【００３０】
サーバー１９は、このマーク５８の情報を受信すると、マーク５８に対応する画像の詳細な情報をサーバーハードディスク２８から抽出する（Ｓ１５）。ここで、サーバー制御部３０等は、抽出手段として作動する。この場合、宿泊プランに関連する詳細な情報５７ｂを抽出する。その後、抽出した宿泊プランに関連する詳細な情報５７ｂをデータとしてデジタル複合機１１に送信する（Ｓ１６）。
【００３１】
次に、デジタル複合機１１は、受信した宿泊プランに関連する詳細な情報５７ｂのデータを基に画像を形成し（Ｓ１７）、形成した画像を印刷する（Ｓ１８）。このようにして、ユーザーは、宿泊プランに関連する詳細な情報が画像として印刷された印刷物を得る。図９は、宿泊プランに関連する詳細な情報のデータを基に形成された画像の一例を示す図である。図９を参照して、印刷物６１に形成された画像６２には、宿泊プランに関連する詳細な情報として、宿泊プランに関連する詳細な文字情報の画像６３、宿泊プランに関連する詳細な３つの図や写真の画像６４ａ、６４ｂ、６４ｃが画像６２として形成され印刷されている。ユーザーは、このような画像６２が形成された印刷物６１を得る。このようにして、印刷システム２７による処理を行う。
【００３２】
すなわち、このような印刷システム２７によると、画像読み取り部１４により読み取った原稿５１の画像５２ｂに基づく画像データに所定のマーク５８があるか否かを判別する。所定のマーク５８があると判別すれば、サーバーハードディスク２８に格納され、所定のマーク５８に対応する原稿の画像に関連する情報の画像をサーバーハードディスク２８から抽出する。その後、抽出した原稿の画像に関連する情報の画像データを抽出し、抽出した原稿の画像に関連する情報の画像データを基に画像を形成し、印刷を行う。そうすると、ユーザーによって原稿５１の画像５２ｂに付された所定のマーク５８に基づいて、ユーザーの要求する原稿５１の画像５２ｂに関連する情報の画像６２を印刷することができる。したがって、ユーザーの要求する情報の画像を確実に印刷することができる。
【００３３】
この場合、判別手段は、画像読み取り部１４により読み取った原稿の画像に基づく画像データとデジタル複合機ハードディスク１６に格納された原稿の画像データとを比較して、画像読み取り部により読み取った原稿の画像に基づく画像データに所定のマークが付されているか否かを判別するため、デジタル複合機１１側で所定のマーク５８があるか否かを判別することができる。そうすると、マーク５８がないと判別した場合に、サーバー１９との通信を行うことなく処理が可能である。また、マーク５８があると判別した場合でも、マーク５８の情報の送信をするのみである。したがって、通信の負担を軽減することができる。
【００３４】
また、この場合、所定のマークが付された原稿における位置に基づいて、所定のマークに対応する原稿の画像に関連する情報の画像を抽出しているため、ユーザーは、所定のマークを付する際に、何ら煩雑な作業を要することなく、より容易に要求する画像の印刷を行うことができる。
【００３５】
また、この場合、手書き線を所定のマークとして判断しているため、ユーザーは、所定のマークを付する際に、手軽に行うことができ、より容易に要求する画像の印刷を行うことができる。
【００３６】
一方、Ｓ１３において、所定のマークがないと判別すれば（Ｓ１３において、ＮＯ）、マークを判別できない旨を操作部１３の表示画面２１に表示する（Ｓ１９）。ここで、所定のマークがないと判別する場合とは、比較した画像データの間において差異が全くない場合や、差異があったとしても、長丸状のマークではなく、かすれた線で表される原稿の汚れや原稿の読み取り時に原稿に付着していた付着物による画像を識別した場合でも、所定のマークがないと判別する。図１０は、この場合における操作部１３に含まれる表示画面２１に表示された選択画面６６の一例を示す図である。図１０を参照して、操作部１３の表示画面２１に表示された選択画面６６には、「マークを判別できません。再度、マークをして原稿を読み取らせてください。」との案内表示６７を表示すると共に、「読み取り開始」と記載のあるタッチボタン６８ａ、および「キャンセル」と記載のあるタッチボタン６８ｂを表示する。これら２つのタッチボタン６８ａ、６８ｂについては、それぞれのタッチボタン６８ａ、６８ｂの位置を押下することにより、それぞれの内容に関する入力を行うことができる。すなわち、「読み取り開始」のタッチボタン６８ａの押下を検知すると、再びＡＤＦ２２にセットされた原稿の読み取りを開始する。一方、「キャンセル」のタッチボタン６８ｂの押下を検知すると、全ての処理を終了する。
【００３７】
ここで、操作部１３の表示画面２１の選択画面６６にマークを判別できない旨を表示した後、デジタル複合機１１は、原稿の画像を形成する（Ｓ２０）。すなわち、再び図５に示すマークの付されていない画像を印刷する。
【００３８】
このように、デジタル複合機制御部１２は、判別手段により所定のマークがないと判別すれば、画像形成部１５により原稿の画像を印刷するよう制御するため、新たに印刷された原稿の画像へ、再度所定のマークを付すことをユーザーに促すことができ、より確実に要求する画像の印刷を行うことができる。この場合、ユーザーがマークを付した後、ＡＤＦ２２にセットする。デジタル複合機１１が「読み取り開始」のタッチボタン６８ａの押下を検知すると、再び原稿の読み取りを開始する。一方、ユーザーが処理を終了するには、「キャンセル」のタッチボタン６８ｂを押下する。デジタル複合機１１が「キャンセル」のタッチボタン６８ｂの押下を検知すると、処理を終了する。
【００３９】
なお、上記の実施の形態においては、デジタル複合機１１に備えられたデジタル複合機ハードディスク１６に格納された原稿の画像データと、画像読み取り部１４により読み取った画像の画像データとを比較して、所定のマークがあるか否かを判別することとしたが、これに限らず、サーバー１９に備えられた第一のデータ格納部であるサーバーハードディスク２８に格納された原稿の画像データと、画像読み取り部１４により読み取った画像の画像データとを比較して、所定のマークがあるか否かを判別することにしてもよい。
【００４０】
図１１は、この発明の他の実施形態に係る印刷システムを用いて印刷を行う場合の処理の流れを示すフローチャートである。図１１を参照して、まず、画像の読み取りを行った後（Ｓ２１）、読み取った画像をそのままサーバー１９側へ送信する（Ｓ２２）。
【００４１】
その後、サーバー１９において、送信された画像データと、サーバーハードディスク２８に格納された原稿の画像データとを比較し、送信された画像データに所定のマーク５８があるか否かを判別する（Ｓ２３）。具体的には、サーバーハードディスク２８に格納されている画像５２ａと送信されてきた画像５２ｂとの間の画像データの差異を比較することにより、どの位置にどのような形状、およびどのような色のマーク５８が付されているかを判別する。この場合、サーバー制御部３０によって制御を行う。
【００４２】
その後、所定のマークがあると判別した場合には（Ｓ２３において、ＹＥＳ）、マークに対応する画像の詳細な情報をサーバーハードディスク２８から抽出し（Ｓ２４）、詳細な情報のデータをデジタル複合機１１に送信する（Ｓ２５）。その後、デジタル複合機１１は、受信したデータを基に画像を形成し（Ｓ２６）、形成した画像を印刷する（Ｓ２７）。一方、所定のマークがないと判別した場合には（Ｓ２３において、ＮＯ）、図８に示す場合と同様に、マークが判別できない旨を表示画面に表示し（Ｓ２８）、原稿の画像を印刷する（Ｓ２９）。こうすることにより、デジタル複合機１１側、具体的には、デジタル複合機ハードディスク１６に画像５２ａのデータを格納する必要はなく、デジタル複合機ハードディスク１６側の負担を軽減することができる。
【００４３】
なお、マークがないと判別した場合には（Ｓ２３において、ＮＯ）、上記した図８に示す場合と同様に、マークが判別できない旨を表示画面２１に表示し（Ｓ２８）、再度の読み込みをユーザーに促すために、原稿の画像を印刷する（Ｓ２９）。
【００４４】
ここで、マークがあると判別すれば、原稿の画像に関連する情報の画像データを基に画像を形成し、印刷を行うと共に、予め登録されたユーザーに関する情報を印刷することにしてもよい。
【００４５】
図１２は、この発明のさらに他の実施形態に係る印刷システムを用いて印刷を行う場合の処理の流れを示すフローチャートである。図１２を参照して、画像を読み取る前に、予めユーザーの情報を登録しておく（Ｓ３１）。この場合、ユーザーの住所、氏名、連絡先等の情報を操作部１３の表示画面２１におけるタッチパネル機能や操作部１３に設けられるテンキー３１、登録キー３５等を利用して入力を行う。この登録情報は、デジタル複合機ハードディスク１６に格納されるが、サーバーハードディスク２９に格納されてもよい。すなわち、第一のデータ格納部および第二のデータ格納部のうちの少なくともいずれか一方が、ユーザーに関するユーザー情報を格納する。
【００４６】
その後、図８に示す場合と同様に、画像を読み取り（Ｓ３２）、画像データを比較し（Ｓ３３）、所定のマークがあるか否かを判別する（Ｓ３４）。所定のマークがあると判別すれば（Ｓ３４において、ＹＥＳ）、所定のマークの情報をサーバー１９に送信し（Ｓ３５）、サーバー１９側において所定のマークに対応する画像の詳細な情報を抽出する（Ｓ３６）。その後、詳細な情報のデータをデジタル複合機１１側に送信する（Ｓ３７）。次に、受信したデータを基に画像を形成し（Ｓ３８）、形成した画像を印刷する（Ｓ３９）。
【００４７】
ここで、形成した画像を印刷すると共に、登録されたユーザー情報を基に、申し込み用紙を印刷する。具体的には、登録されたユーザー情報を基に申し込み用紙用の画像を形成する（Ｓ４０）。その後、形成した画像を基にして申し込み用紙を印刷する（Ｓ４１）。
【００４８】
図１３は、この場合の申し込み用紙の一例を示す図である。図１３を参照して、印刷物７１としての申し込み用紙の画像７２には、住所を記載する領域７３ａと、氏名を記載する領域７３ｂと、連絡先を記載する領域７３ｃとが設けられている。この領域７３ａ〜７３ｃが設けられた画像は、旅行の申し込みの際に決まっている形式に基づくものである。そして、この申し込み用紙に相当する画像を形成する際に、登録されたユーザー情報に基づき、各領域７３ａ〜７３ｃに記載すべき項目について、画像を形成する。この場合、登録されたユーザー情報に基づき、ユーザーの住所情報７４ａである「ＸＸＸＸＸ」、氏名情報７４ｂである「○○○○」、および連絡先情報７４ｃである「△△△」の画像を、それぞれ領域７３ａ〜７３ｃに該当する領域に形成する。そして、印刷を行う。
【００４９】
このように構成することにより、ユーザーが印刷された詳細な情報を読んだ後、旅行の申し込みを希望した場合に、申し込み用紙に所定の事項、ここでは、具体的に住所、氏名、連絡先を記入する手間を省くことができる。ユーザーは、このようにして形成された印刷物７１である画像を画像読み取り部１４により読み取らせ、サーバー等に送信することにより、旅行の申し込みを行うことができる。この場合、確認の意味も含めて、氏名だけはユーザーに自書させるようにして、住所、および連絡先の画像のみを形成し、印刷する構成としてもよい。
【００５０】
なお、マークがないと判別した場合には（Ｓ３４において、ＮＯ）、上記した図８に示す場合と同様に、マークが判別できない旨を表示画面２１に表示し（Ｓ４２）、再度の読み込みをユーザーに促すために、原稿の画像を印刷する（Ｓ４３）。
【００５１】
なお、上記の実施の形態においては、原稿の画像に関連する情報の画像データは、原稿の画像の詳細な情報の画像データであったが、これに限らず、原稿の画像に関連する情報の画像データは、例えば、原稿の画像と密接な関係にある情報の画像データ等であってもよい。
【００５２】
また、上記の実施の形態においては、所定のマークが付された位置に基づいて、所定のマークに対応する原稿の画像に関連する情報の画像を抽出することとしたが、これに限らず、例えば、付された所定のマークの形状、所定のマークの色によっても、所定のマークに対応する原稿の画像に関連する情報の画像を抽出することにしてもよい。すなわち、抽出手段は、所定のマークの位置、所定のマークの形状、所定のマークの色のうちの少なくともいずれか一つに基づいて、複数格納された原稿の画像に関連する情報の画像データの中から所定のマークに対応する原稿の画像に関連する情報の画像データを抽出するよう構成してもよい。具体的には、マークの形状が線であった場合に、情報の作成者の情報を抽出したり、マークの色が赤色であった場合に、情報に関する注意点の情報を抽出したりする。また、マークが複数の領域に複数付されていた場合には、それぞれの画像に関連する情報を抽出し、印刷するようにしてもよい。
【００５３】
また、所定のマークが、複数の領域に跨って付されていた場合には、それぞれの領域における画像に関連する情報を抽出することにしてもよい。図１４は、この場合のマークが複数の領域に跨って付された原稿の画像を示す概略図である。例えば、図１４に示す原稿５１の画像５２ｃのように、宿泊施設に関連するカテゴリー選択画像５３ａが図示された第一の領域５４ａと宿泊プランに関連するカテゴリー選択画像５３ｂが図示された第二の領域５４ｂとに跨ってマーク５９が付されている場合には、第一の領域５４ａ、すなわち、宿泊施設に関連する詳細な情報、および宿泊プランに関連する詳細な情報の双方について抽出し、印刷を行うようにしてもよい。なお、重複する内容が示される場合には、その重複部分について画像形成を省略するように構成してもよい。
【００５４】
なお、上記の実施の形態においては、手書き線でマークを付することとしたが、これに限らず、例えば、スタンプや印刷によりマークを付すことにしてもよく、このようにして付されたマークを判別するように構成してもよい。
【００５５】
なお、印刷装置が、別途設けられた外部装置とデータの通信が可能であって、画像の印刷を行う印刷装置であって、原稿の画像を読み取る画像読み取り部と、画像の印刷を行う印刷部と、画像読み取り部により読み取った原稿の画像に基づく画像データに所定のマークがあるか否かを判別する判別手段と、判別手段により所定のマークがあると判別すれば、外部装置に格納され、所定のマークに対応する原稿の画像に関連する情報の画像データを抽出する抽出手段と、抽出手段により抽出した原稿の画像に関連する情報の画像データを基に画像を形成し、印刷部により印刷するよう制御する制御部とを含む構成であってもよい。このような印刷装置によれば、ユーザーの要求する情報の画像を確実に印刷することができる。
【００５６】
また、格納装置が、別途設けられた画像の印刷を行う印刷装置とデータの通信が可能であって、データを格納する格納装置であって、原稿の画像に関連する情報の画像データを格納する第一のデータ格納部と、画像読み取り部により読み取った原稿の画像に基づく画像データに所定のマークがあるか否かを判別する判別手段と、判別手段により所定のマークがあると判別すれば、第一のデータ格納部に格納され、所定のマークに対応する原稿の画像に関連する情報の画像データを抽出する抽出手段と、抽出手段により抽出した原稿の画像に関連する情報の画像データを基に画像を形成し、印刷装置により印刷するよう制御する制御部とを含む構成であってもよい。このような格納装置によれば、ユーザーの要求する情報の画像を確実に印刷することができる。
【００５７】
なお、上記の実施の形態においては、デジタル複合機全体を制御するデジタル複合機制御部、およびサーバー全体を制御するサーバー制御部を備え、それぞれの制御部で制御を行うこととしたが、これに限らず、いずれか一方だけの制御部を備える構成とし、全ての制御をその制御部で行うよう構成してもよい。
【００５８】
また、上記の実施の形態においては、ネットワークを用いた印刷システムであったが、これに限らず、ファクシミリ通信を用いた印刷システムに適用することもできる。また、画像の読み取りについて、ＡＤＦを用いず、プラテンに載置して原稿の画像を読み取ることにしてもよい。
【００５９】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６０】
この発明に係る印刷システム、印刷装置、および格納装置は、カタログショッピング等において、より確実にユーザーの要求する情報を得たい場合に、特に有効に利用される。
【符号の説明】
【００６１】
１１  デジタル複合機、１２  デジタル複合機制御部、１３  操作部、１４  画像読み取り部、１５  画像形成部、１６  デジタル複合機ハードディスク、１７  ファクシミリ通信部、１８  デジタル複合機ネットワークインターフェース部、１９  サーバー、２１  表示画面、２２  ＡＤＦ、２３  現像器、２４  公衆回線、２５  ネットワーク、２６ａ，２６ｂ  コンピューター、２７  印刷システム、２８  サーバーハードディスク、２９  サーバーネットワークインターフェース部、３０  サーバー制御部、３１  テンキー、３２  スタートキー、３３  電源キー、３４  メニューキー、３５  登録キー、３６  リセットキー、４１  プラテン、４２  キャリッジ、４３  筐体、４４ａ，４４ｂ  金属棒、４５  露光ランプ、４６  基準板、４７  位置、５１  原稿、５２ａ，５２ｂ，５２ｃ，５３ａ，５３ｂ，５３ｃ，５３ｄ，５３ｅ，５３ｆ，５３ｇ，６２，６３，６４ａ，６４ｂ，６４ｃ，７２  画像、５４ａ，５４ｂ，５４ｃ，５４ｄ，５４ｅ，５４ｆ，５４ｇ，５５，７３ａ，７３ｂ，７３ｃ  領域、５６ａ，５６ｂ，５６ｃ，５６ｄ，５６ｅ，５６ｆ，５６ｇ，５７ａ，５７ｂ，５７ｃ，５７ｄ，５７ｅ，５７ｆ，５７ｇ，７４ａ，７４ｂ，７４ｃ  情報、５８，５９  マーク、６１，７１  印刷物、６６  選択画面、６７  案内表示、６８ａ，６８ｂ  タッチボタン。
【図１】
2016072813.tif 000003
【図２】
2016072813.tif 000004
【図３】
2016072813.tif 000005
【図４】
2016072813.tif 000006
【図５】
2016072813.tif 000007
【図６】
2016072813.tif 000008
【図７】
2016072813.tif 000009
【図８】
2016072813.tif 000010
【図９】
2016072813.tif 000011
【図１０】
2016072813.tif 000012
【図１１】
2016072813.tif 000013
【図１２】
2016072813.tif 000014
【図１３】
2016072813.tif 000015
【図１４】
2016072813.tif 000016